(57)【要約】      （修正有）【課題】優れたカット形状のダイアモンドについて、宝石保持具に固定された場合であってもハートアンドアロー模様全体を容易に視認できるようにすること。【解決手段】筒体１４の一側に爪部２４を突設し、筒穴２８の内面２８ａに段差による着座部２０を形成し、着座部２０には、ハートアンドアロー模様を視認できるカット形状からなる宝石１２を着座して爪部２４を折り曲げて、宝石１２を固定する宝石保持具に、着座部２０の逆側筒穴２８の内面２８ａを傾斜状として端部２８ｂ方向に末広がりとする。【選択図】図１
2009247630.tif 000002
【特許請求の範囲】
【請求項１】
筒体の一側に爪部を突設すると共に筒穴の内面に着座部を形成し、該着座部には、宝石用スコープを使用すると、クラウン方向からはアロー模様、パビリオン方向からはハート模様を視認できるカット形状からなる宝石を着座して前記爪部を折り曲げ、該宝石を固定する宝石保持具において、前記着座部の逆側における筒穴の内面を傾斜状として端部方向に末広がりとしたことを特徴とする宝石保持具。
【請求項２】
前記宝石を固定する前記爪部の先端が、前記アロー模様における各アローの中間に位置するものであることを特徴とする請求項１に記載された宝石保持具
【請求項３】
筒体の一側に覆輪部を延設すると共に筒穴の内面に着座部を形成し、該着座部には、宝石用スコープを使用すると、クラウン方向からはアロー模様、パビリオン方向からはハート模様を視認できるカット形状からなる宝石を着座して前記覆輪部を折り曲げ、該宝石を固定する宝石保持具において、前記着座部の逆側における筒穴の内面を傾斜状として端部方向に末広がりとしたことを特徴とする宝石保持具。
【請求項４】
請求項１から３に記載された宝石保持具を取り付けた支持枠の上部に連結孔を形成し、遮蔽部材とネックレスの吊下環を備えた台座の上部に連結軸を形成し、前記連結孔に該連結軸を挿通して前記支持枠に該台座を連結し、前記宝石保持具の端部方向に末広がりとされた筒穴を前記遮蔽部材により開閉可能としたことを特徴とする装身具。
【請求項５】
請求項１から３に記載された宝石保持具の筒体に連結環を突設すると共に指輪の一端に連結孔を形成し、前記連結環を該連結孔に連結して、前記宝石保持具を前記指輪に回動可能に取り付けたことを特徴とする装身具。
【発明の詳細な説明】
【技術分野】
【０００１】
本発明は、ダイアモンド等の宝石のハートアンドアロー全体模様を容易に視認できる宝石保持具及びその宝石保持具を使用した装身具に関する。
【背景技術】
【０００２】
ダイアモンド等の宝石８０の最も一般的なカット形状は、図４に示すような、ラウンドブリリアントカットと呼ばれるもので、上部中央に平坦なテーブル８２を有する略円錐台形状のクラウン８４（上部）と、底部中心に鋭角なキューレット８７を有する略円錐形状のパビリオン８６（下部）と、このクラウンとパビリオンとの境界周面に帯状のガードル８９とを有している。
【０００３】
そして、従来から優れたラウンドブリリアントカットのダイアモンドには、いわゆる暗視野証明と類似の光学的効果をもたらす所定の宝石スコープを使用すると、クラウン側８４には８のアローの模様（投影像）が視認され、下方であるパビリオン８６側には８のハート模様（投影像）が視認されることが知られている。
【０００４】
このハートアンドアロー模様は、優れたカットの証明として、同重量、同グレードのダイアモンドの価格相違を説明する手段として小売店等の店頭におけるセールストークに盛んに利用されている。
【０００５】
【特許文献１】特開２００５−０７３７１９号公報
【発明の開示】
【発明が解決しようとする課題】
【０００６】
しかしながら、このハートアンドアロー模様は、裸石状態のダイアモンドにおいては全体的に視認できるものの、宝石８０がひとたび宝石保持具９０に固定され、さらにはその宝石保持具９０が装身具に取り付けられると、特に筒壁に肉厚がある場合には、ダイアモンドに外光が極めて入り難くなる。したがって、図５に示すように、クラウン側ではほとんど視認できず、視認できた場合でもアローの先端が筒体９４の爪部等で隠れたり、パビリオン側ではハートの上方が筒体９４の筒壁９４ａにより隠れて、美しい模様全体を視認することができなくなる。
【０００７】
したがって、ハートアンドアロー模様が視認できる優れたカットのダイアモンドを購入した一般需要者が、実際に使用する装身具においてはダイアモンドのカットの優秀性を確認することはできず、単に購入時における満足や安心感に留まっていた。
【０００８】
本発明は前記課題を解決すべくなされたものであり、宝石保持具に固定され、ひいては装身具として使用する場合におけるダイアモンド等の宝石についても、ハートアンドアロー模様全体を容易に視認できる宝石保持具に関する。また、時と場合に応じて、ハートアンドアロー模様を視認することが可能な遊び心を発揮する装身具に関する。
【課題を解決するための手段】
【０００９】
上記課題を解決するために請求項１に記載された本発明は、筒体の一側に爪部を突設すると共に筒穴の内面に着座部を形成し、該着座部には、宝石用スコープを使用すると、クラウン方向からはアロー模様、パビリオン方向からはハート模様を視認できるカット形状からなる宝石を着座して前記爪部を折り曲げ、該宝石を固定する宝石保持具において、前記着座部の逆側における筒穴の内面を傾斜状として端部方向に末広がりとした宝石保持具であることを特徴とする。
【００１０】
ここで、本発明においては、宝石を固定する爪部の先端が、アロー模様における各アローの中間に位置するものであることが好ましい。
【００１１】
また、請求項３に記載された本発明は、筒体の一側に覆輪部を延設すると共に筒穴の内面に着座部を形成し、該着座部には、宝石用スコープを使用すると、クラウン方向からはアロー模様、パビリオン方向からはハート模様を視認できるカット形状からなる宝石を着座して前記覆輪部を折り曲げ、該宝石を固定する宝石保持具において、前記着座部の逆側における筒穴の内面を傾斜状として端部方向に末広がりとした宝石保持具であることを特徴とする。
【００１２】
加えて、請求項４に記載された本発明は、請求項１から３に記載された宝石保持具を取り付けた支持枠の上部に連結孔を形成し、遮蔽部材とネックレスの吊下環を備えた台座の上部に連結軸を形成し、前記連結孔に該連結軸を挿通して前記支持枠に該台座を連結し、前記宝石保持具の端部方向に末広がりとされた筒穴を前記遮蔽部材により開閉可能とした装身具であることを特徴とする。
【００１３】
さらに加えて、請求項５に記載された本発明は、請求項１から３に記載された宝石保持具の筒体に連結環を突設すると共に指輪の一端に連結孔を形成し、前記連結環を該連結孔に連結して、前記宝石保持具を前記指輪に回動可能に取り付けた装身具であることを特徴とする。
【発明の効果】
【００１４】
本発明によれば、宝石保持具に固定され、装身具として使用する際のダイアモンド等について、それを購入した一般需要者が、実際に使用する装身具においてそのカットの優秀性を容易に確認することができる。また、美しいハートアンドアロー模様の全体を視認でき、購入後の満足感を倍増することもできる。さらには、時と場合に応じて、ハートアンドアロー模様を視認できるという遊び心を発揮する装身具を提供することができる。
【発明を実施するための最良の形態】
【００１５】
以下、図面を参照しつつ、本発明に係る装身具の好ましい実施形態について詳細に説明する。図１において、（ａ）は本発明に係る第１ペンダントを示す正面図、（ｂ）は、その背面図、（ｃ）は、その側部方向断面図、（ｄ）は、その側面図である。
【００１６】
第１ペンダント１０における第１ペンダント本体１１は、例えば、金、プラチナ、銀等の貴金属を素材とするものであるが、これに限定されることなく、合成樹脂等、他の素材を使用することもできる。また、第１ペンダント１０に使用される宝石１２は、例えば、ラウンドブリアントカット形状による５８面体ダイアモンドのうち、後記する条件下でハートアンドアロー模様が視認できる優れたカット形状のものであるが、これに限定されることなく、７２面体ダイアモンドや他のカット形状のダイアモンドであっても、ハートアンドアロー模様が視認できるものであれば差し支えない。
【００１７】
第１ペンダント本体１１は、全体的には短寸で、従来のものと比べると肉厚が薄い筒体１４から構成され、寸法等には特に限定はないが、例えば、その内径は宝石１２のガードルとほぼ一致し、その高さ１８ａは宝石のパビリオン１８と一致するか、やや高いものである。
【００１８】
筒体１４の一側の筒穴の内面には、内径の相違による段差が設けられて、宝石１２をパビリオン１８側から挿入し、ガードル１６を着座部２０に載置すると、テーブル２２を表面に露呈した状態で着座させることができる。
【００１９】
筒体１４の着座部２０と同方向の一側からは、4本の爪部２４が突設され、宝石１２を着座させた後、爪部２４は折り曲げられ、宝石１２のクラウン２６を押圧するので、宝石１２は筒体１４に固定される。なお、この爪部２４の大きさ、本数には、特に限定がない。
【００２０】
一方、爪部２４が宝石１２を固定した後の先端２４ａは、後記するアロー模様を視認する際に、各アローＸの中間に位置することが好ましい。これにより、爪部２４がアローＸを覆い隠すことがなく、全体的な美しい模様を視認できるからである。
【００２１】
筒体１４における着座部２０の逆側の筒穴２８は、その内面２８ａが傾斜状に形成され、端部２８ｂ方向に末広がりとされている。この傾斜の程度には特に限定はないが、後記するハート模様を視認する際に、やや斜め方向から視認する場合でも筒壁１４ａの厚みが各ハートＹに覆いかぶさらないように十分傾斜していることが好ましい。
【００２２】
筒体１４の周部の一箇所には輪環２９ａがロー付け加工等の手段により固着され、輪環３０にはさらに略逆三角形状の吊下環２９ｂが組み合わされる。
【００２３】
なお、筒体１４は略円柱状をなすが、その外形は円柱に限るわけではなく、多角柱その他の外形による筒体であっても、宝石１２を固定できる限り差し支えない。
【００２４】
このような第１ペンダント１０は、吊下環２９ｂにネックレスチェーン等を側部方向から挿通し（図示せず。）、首からぶら下げて、通常の装身具用ペンダントとして使用することができる。
【００２５】
一方、宝石１２のハートアンドアロー模様を視認したい場合には、前記したような宝石スコープを使用し、第１ペンダント１０をテーブル２２及びクラウン２６側から観察すると、爪部２４により覆い隠されることなくアローＸの全体的な模様を視認することができ、パビリオン１８及びキューレット１９側から観察すると、筒壁１４ａにより隠されることなくハートＹの全体的な模様を視認することができる。
【００２６】
図２において、（ａ）は本発明に係る第２ペンダントを示す正面図であり、（ｂ）は、その背面図、（ｃ）は、その側面図である。
【００２７】
第２ペンダント３０における第２ペンダント本体３１の素材、使用される宝石１２は、第１ペンダント本体１１と同様であるので、ここでは説明を省略する。
【００２８】
第２ペンダント本体３１は、宝石１２を固定した中程度の高さからなる筒体３４（宝石保持具）と装飾的形状をなす枠体３６及び偏平な台座３８とから構成される。
【００２９】
ここで、筒体３４の寸法に限定はないが、例えば、その内径は宝石１２のガードルとほぼ一致する程度であり、また、その高さは、例えば、宝石１２のパビリオンの深さの半分程度である。したがって、第１ペンダント本体１１における筒体１４よりやや短いが、第２ペンダント本体３１は、枠体３６及び台座３８を備えていることにより、宝石１２の鋭角なキューレット１９が筒体３４より突出しても台座３８でカバーされ、装身具用ペンダントとして使用する際にキューレット１９が人肌等に接触しない。よって、パビリオン１８より入射光を多く取り込むことができるように、第１ペンダント本体１１に比べて筒体３４の高さを低く設定したものである。
【００３０】
筒体３４の一側の筒穴の内面には、内径の相違による段差が設けられて、着座部が形成され、テーブル２２を表面に露呈しつつ宝石１２を着座させることができ、同方向の一側から立ち上がる4本の爪部４４と、爪部４４が内側に折り曲げられて宝石１２は固定され、爪部４４の先端が視認される各アローＸに覆いかぶさらないように位置している点等は、第１ペンダント本体１１と同様である。
【００３１】
また、筒体３４の着座部の逆側の筒穴５８は、その内面５８ａが傾斜状に形成され、第１ペンダント本体と同様に、端部４８ｂ方向に末広がりとされ、筒壁４４ａの厚みが各ハートＹに覆いかぶさらないように十分傾斜していることが好ましいのも、第１ペンダント本体１１と同様である。
【００３２】
枠体３６は、例えば、木の葉をあしらったデザインで太径の線材からなるものであるが、もちろんその形状に限定はなく、ハート形や円形であっても、筒体３４を取り付けることができる限り差し支えない。また、その上方には、連結孔が形成されて（図示せず。）、後記する台座３８の連結軸３８ａを挿通できる。
【００３３】
宝石１２が固定された筒体３４は、例えば、ロー付け等の技法により、枠体３６の内部で、その下方略中央に固着される。
【００３４】
台座３８は、全体的には偏平な板体であり、遮蔽部材４０とネックレスの吊下環４２を備え、遮蔽部材４０の頂部には連結軸３８ａが形成されている。なお、連結軸３８ａは根元部分が太径で、先端部分が細径とされ、径の太さが異なる。
【００３５】
遮蔽部材４０は、枠体３６と略同様の形状で、かつほぼ一致する大きさからなり、その頂部には前後方向でＵ字状に湾曲して、正面方向から見た場合には略楕円形状となる吊下環４２が形成される。
【００３６】
台座３８の連結軸３８ａは、枠体３６の連結孔に挿通され、台座３８は枠体３６にスライド可能に取り付けられる。なお、枠体３６の連結孔は連結軸３８ａの細い先端部分のみに挿通可能であることより、枠体３６はその位置で係止される。よって、筒体３４に取り付けられた宝石１２のキューレット１９が遮蔽部材４０と接触することはない。
【００３７】
このような第２ペンダント３０は、吊下環４２に側部方向からネックレスチェーン４３を挿通し、枠体３６と遮蔽部材４０を重なるように位置させて、首からぶら下げれば、通常の装身具用ペンダントとして使用することができる。
【００３８】
一方、宝石１２のハートアンドアロー模様を視認したい場合には、枠体３６と遮蔽部材４０の位置をずらした位置、すなわち背面から光が入る状態とし、宝石スコープを使用し、筒体３４を宝石１２のクラウン側から観察すると、爪部４４の先端により隠されることがなくアローの全体的な模様を視認することができ、パビリオン側から観察すると、筒穴４８の筒壁により隠されることなくハートの全体的な模様を視認することができる。
【００３９】
なお、説明の便宜上、連結孔を枠体３６の上部に形成し、連結軸３８ａを台座４０の上部に形成する構造の第２ペンダント３０を説明したが、連結孔を台座上部に形成し、連結軸を枠体上部に形成することもでき、要は、筒体の裏側にある筒穴が遮蔽部材で開閉可能となるように形成すれば良い。
【００４０】
図３において、（ａ）は、本発明に係る第１リングを示す斜視図であり、（ｂ）は、第１リングに使用される筒体の正面図、（ｃ）は、その背面図である。
【００４１】
第１リング５０における第１リング本体５１の素材、使用される宝石１２は、第１ペンダント本体１１と同様であるので、ここでは説明を省略する。
【００４２】
第１リング５０は、第１リング本体５１と全体的形状が極めて短寸な筒体５４（宝石保持具）から構成される。
【００４３】
ここで、筒体５４の寸法に限定はないが、例えば、内径は宝石１２のガードルとほぼ一致する程度であり、また、高さは、例えば、宝石１２のガードル幅の２倍〜５倍程度である。第１リング本体５１は、後記するように筒体５４より宝石１２のパビリオン１８やキューレット１９が突出しても、装身具用リングとして使用する際に鋭角なキューレット１９が人指等に接触しない。よって、パビリオン１８より入射光をさらに多く取り込むことができるように、第１リング本体１１に比べて筒体５４の高さを極めて低く設定できる。
【００４４】
筒体５４の一側の筒穴の内面には、内径の相違による段差が設けられて、着座部が形成され（図示せず。）、テーブル２２を表面に露呈した状態で宝石１２を着座させることができ、また同側の端部の筒壁は延設され、リング状に内側に折り曲げられて覆輪部５６を形成しており、覆輪部５６は全体的にクラウン２６を押圧し、宝石１２は固定される。ここで、覆輪部５６の幅に特に限定はないが、宝石１２のアロー模様に覆いかぶさらない程度の薄いものが好ましい。
【００４５】
また、筒体５４の着座部の逆側の筒穴６８は、その内面６８ａが傾斜状に形成され、第１ペンダント本体１１と同様に、端部方向に末広がりとされ、筒壁５４ａの厚みが宝石１２のハート模様Ｙに覆いかぶさらない程度であることが好ましいのも、第１ペンダント本体１１と同様である。
【００４６】
筒体５４の周部の一箇所には半円状の連結環６９ａがロー付け加工等の手段により固着され、筒体５４は後記するように第１リング本体５１に可動自在に取り付けられる。
【００４７】
第１リング本体５１は、先端で先細となる棒体を環状に折り曲げて、その両端が開放しつつ交叉して、全体的には指輪を形成している。第１リング本体５１において、先細となる側の先端には連結孔５１ａが形成され、筒体５４の連結環６９ａを挿通して、筒体５４は第１リング本体５１と連結される。
【００４８】
第１リング本体５１における筒体５４との連結側は上向きなカーブを形成し、このことが指輪として使用する際に筒体５４と手指の距離を十分保てるため、筒体５４の深さを第１ペンダント１０、第２ペンダント３０に比べて極めて浅くできる。
【００４９】
また、筒体５４の外形は円柱形に限るわけではなく、多角柱形その他の外形であっても宝石１２を着座させ、固定できる限り差し支えなく、また、第１リング本体５１の外形も交叉リング形状に限るわけではなく輪状でも良く、デザインも平打ちその他のデザインであっても筒体５４を可能自在に取り付けられるものであれば差し支えない。
【００５０】
このような第１リング５０は、第１リング本体５１の中穴に指を挿通すれば、宝石１２を取り付けたいわゆるぶら下がり装身具用リングとして使用することができる。
【００５１】
一方、宝石１２のハートアンドアロー模様を視認したい場合には、筒体５４を手指等で支持して表側とし、宝石スコープを使用して宝石１２をクラウン側から観察すると、アローＸの全体的模様を視認することができる、また、筒体５４を裏返した状態で宝石１２をパビリオン側から観察すると、ハートＹの全体的模様を視認することができる。特に、第１リング５０においては、筒体５４の深さを浅くして、入射光を極めて多く取り込むことができるので、観察されるアローやハートの全体模様を鮮明な投影像とすることができる。
【００５２】
さらに、説明の便宜上、連結環６９ａを筒体５４に、連結孔５１ａを第１リング本体５１に形成する構造で第１リング５０を説明したが、要は、筒体５４を回動可能に第１リング本体５１に取り付ければ良い。
【００５３】
以上、本発明が有利に適用される場合として、宝石には５８面体のラウンドブリリアントカット形状のダイアモンドを使用する場合を説明したが、他のカット形状でもハートアンドアロー模様が視認できるものであれば差し支えなく、合成ダイアモンドや模造ダイアモンドを使用することもできる。その他、本発明は、例えば、ブレスレット、ブローチ等にも適用できるのはもちろんで、装身具としてデザインだけの違いであれば、本発明の範疇に含まれるのは当然である。
【図面の簡単な説明】
【００５４】
【図１】（ａ）は本発明に係る第１ペンダントを示す正面図、（ｂ）は、その背面図、（ｃ）は、その側部方向断面図、（ｄ）は、その側面図である。
【図２】（ａ）は本発明に係る第２ペンダントを示す正面図であり、（ｂ）は、その背面図、（ｃ）は、その側面図である。
【図３】（ａ）は、本発明に係る第１リングを示す斜視図であり、（ｂ）は、第１リングに使用される筒体の正面図、（ｃ）は、その背面図である。
【図４】（ａ）は、ラウンドブリリアントカット形状を示す平面図であり、（ｂ）は、その底面図である。
【図５】（ａ）は従来のペンダントを示す正面図、（ｂ）は、その背面図、（ｃ）は、その側部方向断面図、（ｄ）は、その側面図である。
【符号の説明】
【００５５】
１０  第１ペンダント
１１  第１ペンダント本体
１２  宝石
１４  筒体
１４ａ  筒壁
１６  ガードル
１８  パビリオン
１９  キューレット
２０  着座部
２２  テーブル
２４  爪部
２４ａ  先端
２６  クラウン
２８  筒穴
２８ａ  内面
２８ｂ  端部
２９ａ  輪環
２９ｂ  吊下環
３０  第２ペンダント
３１  第２ペンダント本体
３４  筒体
３６  枠体
３８  台座
３８ａ  連結軸
４０  遮蔽部材
４２  吊下環
４３  ネックレスチェーン
４４  爪部
４４ａ  筒壁
４８  筒穴
４８ｂ  端部
５０  第１リング
５１  第１リング本体
５１ａ  連結孔
５４  筒体
５４ａ  筒壁
５６  覆輪部
５８  筒穴
５８ａ  内面
６８  筒穴
６８ａ  内面
６９ａ  連結環
８０  宝石
８２  テーブル
８４  クラウン
８６  パビリオン
８７  キューレット
８９  ガードル
９０  宝石保持具
９４  筒体
９４ａ  筒壁
Ｘ  アロー
Ｙ  ハート
【図１】
2009247630.tif 000003
【図２】
2009247630.tif 000004
【図３】
2009247630.tif 000005
【図４】
2009247630.tif 000006
【図５】
2009247630.tif 000007